(57)【特許請求の範囲】
【請求項１】
作業機の機体フレーム１の前側上方に、座席１１と該座席１１の周囲に設けた操作部１２を包囲する平面視略四角形状のキャビン８を設け、該キャビン８のキャビンフレーム１３の左右何れか一方の側の上側部分に前後方向の一側上部横フレーム２１を、左右何れか他方の側の上側部分に前後方向の上部横フレーム２２を夫々設け、該上部横フレーム２２の一部は、前記座席１１がある部分のキャビンフレーム１３に比し側方に突出する張出部３４を有して形成し、該張出部３４より座席１１側には、前記一側上部横フレーム２１と略平行に位置する前後方向の左右中間フレーム３５を設け、該左右中間フレーム３５と前記張出部３４とにより包囲される空間をエアコンユニット３７を収容しうるエアコン取付用空間３６に形成した空調装置を有する作業機。
【請求項２】
作業機の機体フレーム１の前側上方に、座席１１と該座席１１の周囲に設けた操作部１２を包囲するキャビン８を設け、該キャビン８は前記機体フレーム１側に固定のキャビンフレーム１３の左右何れか一側にドア１５を左右何れか他側にウインド１７を夫々設けて構成し、前記キャビンフレーム１３のウインド１７側の上部横フレーム２２の一部は、前記ウインド１７より反ドア１５側に突出させた張出部３４に形成し、該張出部３４と前記キャビンフレーム１３の前後方向の左右中間フレーム３５とにより包囲される空間をエアコンユニット３７を収容しうるエアコン取付用空間３６に形成した空調装置を有する作業機。
【請求項３】
請求項１または請求項２記載の作業機において、前記張出部３４と左右中間フレーム３５の夫々に前記エアコンユニット３７を取付けるエアコン取付用ステー４２を設けた空調装置を有する作業機。
【請求項４】
請求項１または請求項２または請求項３の作業機において、前記張出部３４の下側に位置するエアコンユニット３７の下方には、着脱自在のアンダーカバー４０を設けた空調装置を有する作業機。
【請求項５】
請求項１または請求項２または請求項３または請求項４の作業機において、前記座席１１の側方と前方のキャビン８内には、側部エア吹き出し口５４と左前エア吹き出し口５７と右前エア吹き出し口５８とを夫々設けて、略逆Ｌ型状に包囲するように構成した空調装置を有する作業機。
【請求項６】
請求項５の作業機において、前記側部側部エア吹き出し口５４は、前記エアコンユニット３７の内側位置に設けると共に、前記操作部１２の側部操作パネル５５の上方に位置させた空調装置を有する作業機。
【請求項７】
請求項５の作業機において、前記座席１１より後方のキャビン８内には後側エア吹き出し口５２を設けた空調装置を有する作業機。
【請求項８】
請求項７の作業機において、前記キャビン８にはリヤハッチ１９を設け、前記後側エア吹き出し口５２は側方のみならず後方に向けて送風可能に構成した空調装置を有する作業機。
【発明の詳細な説明】
【０００１】
【発明が属する技術分野】
本発明は、コンバイン等の作業機の空調装置に係るものである。
【０００２】
【従来技術】
従来公知の実公平７−１３４７８号公報には、作業機の機体フレームの前側上方に、座席と該座席の周囲に設けた操作部を包囲するキャビンを設け、前記座席の下方位置にエアコンユニットを設け、座席の側方にエア吹き出し口を設けた構成について記載されている。
また、従来公知の特開２０００−１７５５４３号公報には、作業機の機体フレームの前側上方に、座席と該座席の周囲に設けた操作部を包囲するキャビンを設け、前記座席の後方位置にエアコンユニットを設け、座席の左右両側および前方にエア吹き出し口を設けた構成について記載されている。
また、従来公知の特許３０４７８８８号公報には、座席の上方のキャビン内にエアコンユニットを設け、座席の側部にエア吹き出し口を設けた構成について記載されている。
【０００３】
【発明が解決しようとする課題】
前記公知例のうち実公平７−１３４７８号公報に記載されたものは、座席の下方位置にエアコンユニットを設けているため、エア吹き出し口までの距離が長く損失が大きいという課題がある。この点、該公知公報では、天井部分にエアコンユニットを設ければ距離が短くなると記載され、一方、天井に設けたのではキャビンの天井が低くなると記載されているが、例え、座席の下方にエアコンユニットを設けても、キャビンの床面が高くなるだけであって、実際はキャビンの室内空間は大きくならず、エネルギー損失が大きいという課題だけが残る。
また、エア吹き出し口が座席の側方のみであるから、快適な空調環境が得られない。
次に、前記特開２０００−１７５５４３号公報に記載されたものは、座席の後方にエアコンユニットを設けているので、キャビンの高さ方向の室内空間は大きくすることが可能であるが、前後長さに制約あるので、エアコンユニットの大きさ形状に制約を受けるだけでなく、エアコンユニットからエア吹き出し口までの距離が長くエネルギー損失が大きいという課題がある。また、座席の後方にエアコンユニットを設けているので、後方視界が良好でないという課題もある。また、エア吹き出し口を座席の左右両側に設けているので、エア吹き出し口を設けた部分の天井が低いくなってドアを開けたときの乗降口の面積が狭くなるという課題もある。
前記特許３０４７８８８号公報に記載されたものは、座席の上方のキャビン内にエアコンユニットを設けているため、エネルギー損失が少ないという面では有利であるが、天井が低いこと、ドアを開けたときの乗降口の面積が狭くなること、略着座者の頭上にエアコンユニットが位置するので、エアコンユニットの騒音および振動が響く（伝わり易い）こと、という課題があり、そのため、キャビンフレームの構成を堅牢にするため、複雑となり、重量も重くなる。
また、エアコンユニットの取付やメンテナンスも狭いキャビン内で作業しなければならず、相当に面倒あり、組立性や作業性が低かった。
本願は、エアコンユニットの設置場所を工夫することで、前記課題を解決するものである。
【０００４】
【発明の目的】
キャビンの全体室内空間の拡大、エネルギー損失軽減、快適な空調環境の提供、キャビンへの乗降の容易化、騒音および振動の軽減、エアコンユニット３７の取付やメンテナンスの容易化、組立性や作業性の向上、コスト上昇の抑制。
【０００５】
【課題を解決するための手段】
本発明は、作業機の機体フレーム１の前側上方に、座席１１と該座席１１の周囲に設けた操作部１２を包囲する平面視略四角形状のキャビン８を設け、該キャビン８のキャビンフレーム１３の左右何れか一方の側の上側部分に前後方向の一側上部横フレーム２１を、左右何れか他方の側の上側部分に前後方向の上部横フレーム２２を夫々設け、該上部横フレーム２２の一部は、前記座席１１がある部分のキャビンフレーム１３に比し側方に突出する張出部３４を有して形成し、該張出部３４より座席１１側には、前記一側上部横フレーム２１と略平行に位置する前後方向の左右中間フレーム３５を設け、該左右中間フレーム３５と前記張出部３４とにより包囲される空間をエアコンユニット３７を収容しうるエアコン取付用空間３６に形成した空調装置を有する作業機としたものであり、張出部３４より内側のエアコン取付用空間３６内にエアコンユニット３７を収容する。
本発明は、作業機の機体フレーム１の前側上方に、座席１１と該座席１１の周囲に設けた操作部１２を包囲するキャビン８を設け、該キャビン８は前記機体フレーム１側に固定のキャビンフレーム１３の左右何れか一側にドア１５を左右何れか他側にウインド１７を夫々設けて構成し、前記キャビンフレーム１３のウインド１７側の上部横フレーム２２の一部は、前記ウインド１７より反ドア１５側に突出させた張出部３４に形成し、該張出部３４と前記キャビンフレーム１３の前後方向の左右中間フレーム３５とにより包囲される空間をエアコンユニット３７を収容しうるエアコン取付用空間３６に形成した空調装置を有する作業機としたものであり、ウインド１７より張出す張出部３４にエアコンユニット３７を収容し、その分、キャビン８内の室内空間を大きくする。
本発明は、前記作業機において、前記張出部３４と左右中間フレーム３５の夫々に前記エアコンユニット３７を取付けるエアコン取付用ステー４２を設けた空調装置を有する作業機としたものであり、エアコンユニット３７はエアコン取付用ステー４２を介して張出部３４と左右中間フレーム３５に固定する。
本発明は、前記作業機において、前記張出部３４の下側に位置するエアコンユニット３７の下方には、着脱自在のアンダーカバー４０を設けた空調装置を有する作業機としたものであり、アンダーカバー４０を外すことによりエアコンユニット３７の下方を簡単に露出させる。
本発明は、前記作業機において、前記座席１１の側方と前方のキャビン８内には、側部エア吹き出し口５４と左前エア吹き出し口５７と右前エア吹き出し口５８とを夫々設けて、略逆Ｌ型状に包囲するように構成した空調装置を有する作業機としたものであり、前方と側方の両方から程よく送風され、快適な空調環境となる。
本発明は、前記作業機において、前記側部側部エア吹き出し口５４は、前記エアコンユニット３７の内側位置に設けると共に、前記操作部１２の側部操作パネル５５の上方に位置させた空調装置を有する作業機としたものであり、操作部１２へ送風された冷気により操作部１２のレバー類を設けた開口部からの外気の進入を抑制できて、快適な空調環境となる。
本発明は、前記作業機において、前記座席１１より後方のキャビン８内には後側エア吹き出し口５２を設けた空調装置を有する作業機としたものであり、座席１１より後方の室内温度の上昇を抑制または下降させる。
本発明は、前記作業機において、前記キャビン８にはリヤハッチ１９を設け、前記後側エア吹き出し口５２は側方のみならず後方に向けて送風可能に構成した空調装置を有する作業機としたものであり、座席１１より後方の室内温度の上昇を抑制または下降させ、リヤハッチ１９を開らいたときには、塵埃の進入を抑制する。
【０００６】
【発明の効果】
請求項１では、張出部３４より内側のエアコン取付用空間３６内にエアコンユニット３７を収容してキャビンの全体室内空間を拡大し、室内上部に設けたのでエネルギー損失を軽減して快適な空調環境の提供でき、天井を低くしないのでキャビンへの乗降を容易にでき、座席基準に側方に位置するので騒音および振動を軽減し、取付やメンテナンス作業を容易にでき、組立性や作業性の向上させ、コストの昇を抑制する。
請求項２では、前記効果を奏する他に、特にドア１５側の天井を高くしてキャビンへの乗降を容易にする。
請求項３では、前記効果を奏する他に、エアコンユニット３７の取付を容易にし、強固に支持でき、振動騒音を減少させる。
請求項４では、前記効果を奏する他に、取付作業や、メンテナンス作業を容易にする。
請求項５では、前記効果を奏する他に、身体の一部へ直接送風しなくても、キャビン８内の空調環境を快適な状態のまま良好にする。
請求項６では、前記効果を奏する他に、外気の進入を抑制して快適な空調環境を保持し、エネルギー損失を軽減する。
請求項７では、前記効果を奏する他に、キャビン８内の空調環境を良好にする。
請求項８では、前記効果を奏する他に、リヤハッチ１９を開らいたときの塵埃の進入を抑制する。
【０００７】
【発明の実施の形態】
本発明の一実施例をコンバインの例にて図面により説明すると、１は機体フレーム、２は機体フレーム１の下方に設けた走行装置、３は機体フレーム１の上方に設けた脱穀装置、４は脱穀装置３の前方に設けた刈取部、５は脱穀装置３の側部に設けたグレンタンク、６はグレンタンク５内の穀粒を排出する縦揚穀排出装置、７は縦揚穀排出装置の上部に設けた横排出オーガ、８は機体フレーム１の前側上方に設けたキャビンであり、実施例ではキャビン８は前記グレンタンク５の前側に設けられ、キャビン８の側方には刈取部４で刈取られた穀稈を脱穀装置３の穀稈供給搬送装置９に引き継ぐ引継搬送装置１０を設けている。
前記キャビン８は、座席１１と該座席１１の周囲に設けた操作部１２の周囲を包囲するように、キャビンフレーム１３にガラスあるいは合成樹脂（ポリカーボネイト等）により形成したウインド部材を設けて構成している。
１５はドア、１６はドア側ウインド、１７は側部ウインド、１８はフロントウインド、１９はキャビン８の後部およびルーフ２０の両者に跨がって逆Ｌ型状に設けたリヤハッチであり、リヤハッチ１９は座席１１より開閉操作可能に構成している。
【０００８】
２１は前記キャビンフレーム１３の一部を構成する前後方向の一側（ドア側）上部横フレーム、２２は他側（反ドア側）上部横フレーム、２３は一側上部横フレーム２１と他側上部横フレーム他側上部横フレーム２２夫々の前端を連結する前側上部横フレーム、２４は一側側前縦フレーム、２５は一側側後縦フレーム、２６は他側側前縦フレーム、２７は他側側後縦フレーム、２８は前側下部横フレーム、２９は後側下部横フレーム、３０は他側下部横フレーム、３１は一側下部横フレーム、３２は補強フレームであり、前側上部横フレーム２３に対応する後側上部横フレームはリヤハッチ１９の開閉に干渉しないように省略している。
しかして、前記キャビンフレーム１３の反ドア１５側の他側上部横フレーム２２は後側直線部３３と前側直線部３３の間の中間部を略水平に他側（反ドア１５側）に突き出るようにして張出部３４を形成し、該張出部３４に対してドア１５側となる位置には一側上部横フレーム２１と略平行に位置する前後方向の左右中間フレーム３５を設け、該左右中間フレーム３５と張出部３４により包囲される空間をエアコン取付用空間３６に形成し、該エアコン取付用空間３６にエアコンユニット３７を装着する。
【０００９】
即ち、エアコンユニット３７の一部または全部はキャビン８の他側の側部ウインド１７（他側下部横フレーム３０）に対して他側方に突き出たキャビン８の上部のオフセット部３９内に設けたエアコン取付用空間３６に納めるように設け、キャビン８の周辺の空間を有効利用するものであり、オフセット部３９内からエアコンユニット３７のメンテナンスを行うことで、メンテナンス作業を狭いキャビン８内で行わずに済ませて作業性を向上させ、また、エアコンユニット３７の取付・組立てを容易にし、また、その他の電装品のメンテナンス、組立性も容易にして向上させる。
この場合、オフセット部３９は通常のキャビン８のキャビンフレーム１３の他側上部横フレーム２２の中間部形状を、側方に突き出る張出部３４に形成することですむからコストをあまり上昇させず、重量も増加させない。
また、エアコンユニット３７はオフセット部３９に設けているから、キャビン８の後方にリヤハッチ１９を設けることができ、後方視界を確保し、また、開口面積も大きくでき、好適である。
【００１０】
また、エアコンユニット３７をオフセット部３９に設けることで、キャビン８内の床面を高くすることなく天井高さを高くでき、実質的に高さ方向の室内空間を大きくする。
また、エアコン取付用空間３６（エアコンユニット３７）は側部ウインド１７（他側下部横フレーム３０）の外側と内側の両方に跨がって構成すると、側部ウインド１７に対するオフセット量（オフセット部３９の左右幅）を可及的に小さくしつつ、容量に見合ったエアコンユニット３７の大きさを確保できる容積とし、更に、キャビン８の室内空間を大きくでき、合理的構成となっている。
また、エアコンユニット３７は、平面視側部ウインド１７の外側と内側の両方に跨がって設けることで、後述する各吹き出し口へのダクトの長さを短くでき、熱損失も小さくするという作用効果も奏する。
【００１１】
しかして、キャビン８の内装組立て作業終了後でも、キャビン８の外側（オフセット部３９）からエアコンユニット３７を後付け可能に構成すると、取付・組立を著しく向上させられ、好適である。
仮に、側部ウインド１７より内側のキャビン８内にエアコンユニット３７を設けるとすると、作業順序として、まずエアコンユニット３７を装着し、次に室内の天井の内張り（天井内装材３８）をしなければならず、作業が容易でないだけでなく、エアコンユニット３７の大きさや作業内容が大きく制約されて、取付・組立が著しく面倒になるが（メンテナンスも同様）、これに対して、側部ウインド１７より外側のオフセット部３９の開口部からエアコンユニット３７の装着を可能にすると、取付・組立を著しく向上させる。
このように、エアコンユニット３７を後付け可能にするには、左右中間フレーム３５に対して他側上部横フレーム２２の張出部３４を、エアコンユニット３７を出し入れ可能な左右幅を有するように配置すればよい。
【００１２】
しかして、前記オフセット部３９の下方は、前後方向の全長に亘ってアンダーカバー４０を設け、アンダーカバー４０はキャビンフレーム１３に固定用ボルト等の固定具４１により着脱自在に取付け、アンダーカバー４０を外すことによりエアコンユニット３７の下面側を露出させ、メンテナンス（着脱を含めてもよい）を容易にしている。
しかして、キャビン８の前記他側上部横フレーム２２および前記左右中間フレーム３５の夫々にはエアコン取付用ステー４２を設け、該エアコン取付用ステー４２にエアコンユニット３７を取付ける。
エアコンユニット３７はエアコン取付用ステー４２を介してキャビンフレーム１３に一体状にを取付けているので、強固に支持し、振動や騒音の発生を抑制し、また、キャビンフレーム１３にエアコン取付用ステー４２を固定する工程は初期段階で行えるので、その後の組立工程が容易となって、全体の行程を合理的に進められる。
【００１３】
しかして、前記エアコンユニット３７は、エアコン本体４５を前後方向に長く形成し、エアコン本体４５の他側（反ドア１５側）に空気吸入口４６を設け、エアコン本体４５の前後側およびキャビン８内側にそれぞれ空気送風口４７を設ける。
エアコン本体４５は、エアコンユニット３７のユニットケース５０内に固定し、ユニットケース５０をエアコン取付用ステー４２に固定する。ユニットケース５０には後側ダクト５１を着脱自在に接続し、後側ダクト５１には後側エア吹き出し口５２を設ける。後側エア吹き出し口５２は前記座席１１よりも後方のキャビン８内に横向きに開口させ、座席１１に着座している作業者の後方周囲にも送風してフィーリングを向上させている。
また、後側エア吹き出し口５２には、風量風向き調節用フィン５３を設け、風量風向き調節用フィン５３により前記リヤハッチ１９を開口させて後方確認中の作業者へ側方から送風するようにすると、作業を快適にして、好適である。また、後側エア吹き出し口５２の吹き出し方向を風量風向き調節用フィン５３により後上方に向けられるようにすると、後側エア吹き出し口５２から吹き出す送風がエアカーテンとなってリヤハッチ１９を開口させたとき塵埃等のキャビン８内への進入を抑制できて、好適である。
即ち、コンバインでは刈取搬送中や脱穀作業中に塵埃が発生し易いので、特に有効である。
【００１４】
しかして、ユニットケース５０の座席１１側には側部エア吹き出し口５４を複数前後に並設し、各側部エア吹き出し口５４には前記風量風向き調節用フィン５３を設け、独立して吹き出す向きを変更調節するようにすると、操作性を向上させて、好適である。
即ち、複数の側部エア吹き出し口５４のうち一部は着座者へ、その他は前記操作部１２へ送風できるようにすると、操作部１２のレバー類を設けた開口部から進入する外気に対処できて、好適である。
特に、操作部１２の側部操作パネル５５の略真上に位置させると、更に外気の進入を抑制できて、好適である。
また、ユニットケース５０の前側には前側ダクト５６を着脱自在に接続する。前側ダクト５６は前記座席１１の前方右側にまで伸びるようにして逆Ｌ型形状に形成し、前側ダクト５６には左前エア吹き出し口５７と右前エア吹き出し口５８とを形成する。
この場合、前側ダクト５６は左前エア吹き出し口５７までの直径Ｔ（内径）に対し、左前エア吹き出し口５７から右前エア吹き出し口５８に至るまでの直径ｔ（内径）が小となるように形成すると、左前エア吹き出し口５７と右前エア吹き出し口５８とのエア吹き出し量が略同じとなって、好適である。
【００１５】
即ち、前側ダクト５６の直径（内径）は左前エア吹き出し口５７まで大きくすることで、右前エア吹き出し口５８までの風量を確保し、前側ダクト５６の左右方向に送風する部分に送風方向に対して略交差する向きに左前エア吹き出し口５７を開口させることで、前側ダクト５６の送風量のうちの適量を左前エア吹き出し口５７へ送風し、右前エア吹き出し口５８への風量を左前エア吹き出し口５７と略同じとなるようにしている。
前記側部エア吹き出し口５４と左前エア吹き出し口５７および右前エア吹き出し口５８の夫々は、座席１１の前側と側方とに平面視逆Ｌ型状に配置し、座席１１の着座者の周囲を包囲して送風するように構成している。
キャビン８は、周囲の視認性を良好にするためウインドウ部分が多く、室内温度は案外上昇し、この時、前方からのみ送風したのでは、風量が多くなって、かえって不快と感じることがあるが、側部エア吹き出し口５４により側方から送風することで、全体の風量を適量にすると共に、座席１１の周囲から送風されるので、着座者は快適な空調環境で作業を行える。
【００１６】
また、ドア１５側にエア吹き出し口を設けると、天井高さが低くなって、ドア１５の開口面積を狭くして乗降性を低くするが、前側と側方とに平面視逆Ｌ型状に配置していので、ドア１５の開口面積を狭くしないですみ、乗降性を向上させる。
しかして、ユニットケース５０内のエアコン本体４５近傍にはファン６０を設ける。ファン６０は外気を吸引してエアコンユニット３７の空気吸入口４６に送り込むものであり、実施例では横断流ファンにより構成し、ファン６０の上方には吸引口６１を設け、吸引口６１から吸引して空気吸入口４６に送り込むようにし、前記吸引口６１には紙や布により形成した不織布やメッシュやスポンジ等により形成したエアコンフィルタ６２を設け、外気および内気の塵埃を同時に集塵している。エアコンフィルタ６２の上面はカバー６３により押えて装着し、カバー６３はルーフ２０に着脱自在に取付け、清掃・交換等のメンテナンスが容易にしている。
また、前記オフセット部３９の下面側には作業灯６４を設け、オフセット部３９を有効利用している。作業灯６４は、主としてキャビン８の側方の刈取部４から脱穀装置３の穀稈供給搬送装置９に刈取られた穀稈を引き継ぐ引継搬送装置１０の部分を照らし、作業性を向上させる。
【００１７】
しかして、キャビン８のドア１５を開けて、キャビン８内に乗り込んで座席１１に着座し、操作部１２の各種操作部材を操作しつつ、機体を走行させると、刈取部４が圃場の穀稈を刈取り、刈取った穀稈をキャビン８の側方を搬送して脱穀装置３に供給して脱穀する。
キャビン８は、キャビンフレーム１３にガラスあるいは合成樹脂により形成したウインド部材を設けて構成しているから、周囲を視認しつつ作業を行い、作業中、座席１１はキャビン８により包囲されているので周囲の騒音や塵埃から守られるが、室内温度は日射により上昇する。
キャビン８のエアコンユニット３７に通電すると、ファン６０により送られた空気がエアコン本体４５の空気吸入口４６から入って冷やされ、冷やされた空気が空気送風口４７より側部エア吹き出し口５４と左前エア吹き出し口５７および右前エア吹き出し口５８に送られる。
側部エア吹き出し口５４と左前エア吹き出し口５７および右前エア吹き出し口５８は、座席１１の前側と側部のＬ型状に配置されているから、着座者の周囲を包み込むように冷気が送風され、快適に作業を行える。
【００１８】
また、ドア１５側にエア吹き出し口を設けていないので、ドア１５の開口面積を狭くしないですみ、乗降性を向上させる。即ち、側部ウインド１７とドア１５の間のキャビン８内の天井にエアコンユニット３７を設けると、天井高さが低くなって、ドア１５の開口面積を狭くして乗降性を低くするが、本願では、ドア１５の開口面積を狭くしないですみ、乗降性を向上させる。
この場合、キャビン８のキャビンフレーム１３の他側上部横フレーム２２の中間部を室外側の側方に突き出させるようにして張出部３４を形成し、該張出部３４に対する室内側には左右中間フレーム３５を設け、該張出部３４と左右中間フレーム３５により包囲されたエアコン取付用空間３６にエアコンユニット３７を装着しているから、キャビン８の室内空間を広げつつ、エアコンユニット３７の性能を良好に発揮させる。
即ち、エアコンユニット３７はキャビン８の他側の側部ウインド１７より側方に突き出たキャビン８内に納めるようにしているから、所謂ドア１５と側部ウインド１７との間のキャビン８の室内空間に対してオフセットさせた上部空間に設け、キャビン８の周辺の外側空間を有効利用し、また、エアコンユニット３７からの冷気が通るダクト長さも可及的に短くしてエアコンユニット３７の性能を良好に発揮させる。
【００１９】
また、キャビン８の側部ウインド１７より外側となるオフセット部分のエアコンユニット３７からメンテナンスを行えるように構成すると、エアコンユニット３７のメンテナンスを狭いキャビン８内で行わずに済み、作業性を向上させ、また、エアコンユニット３７の取付・組立てを容易にし、また、その他の電装品のメンテナンス、組立性も容易にして向上させる。
前記の場合、エアコン取付用空間３６は、通常のキャビン８のキャビンフレーム１３の他側上部横フレーム２２の中間部形状を、側方に突き出る張出部３４に形成することで構成しているから、コストをあまり上昇させないですむ。
【００２０】
しかして、前記エアコンユニット３７の吹き出し口は、前記座席１１よりも後方のキャビン８内に横向きに送風する後側エア吹き出し口５２を設けているから、座席１１の作業者の後方周囲にも送風して、一層、フィーリングを向上させている。
特に、リヤハッチ１９を開口させて何らかの作業を行うとき、エアカーテンのように作用して塵埃等のキャビン８内への進入を抑制できて、好適である。
【図面の簡単な説明】
【図１】    コンバインの側面図。
【図２】    同側面図。
【図３】    同平面図。
【図４】    同背面図。
【図５】    同正面図。
【図６】    座席部分の平面図。
【図７】    フレームの斜視図。
【図８】    オフセット部分の断面図。
【図９】    同背面図。
【図１０】  エアコンユニットおよびダクトの平面図。
【図１１】  キャビンの側面図。
【図１２】  エアコンユニットおよびダクトの平面図。
【図１３】  キャビン内部の斜視図。
【図１４】  キャビンの平面図。
【図１５】  エアコンユニットの側面図。
【図１６】  同平面図。
【図１７】  キャビンの正面図。
【符号の説明】
１…機体フレーム、２…走行装置、３…脱穀装置、４…刈取部、８…キャビン、９…穀稈供給搬送装置、１０…引継搬送装置、１１…座席、１２…操作部、１３…キャビンフレーム、１５…ドア、１６…側部ウインド、１７…側部ウインド、１８…フロントウインド、１９…リヤハッチ、２０…ルーフ、２１…一側上部横フレーム、２２…他側上部横フレーム、２３…前側上部横フレーム、２４…一側側前縦フレーム、２５…一側側後縦フレーム、２６…他側側前縦フレーム、２７…他側側後縦フレーム、２８…前側下部横フレーム、２９…後側下部横フレーム、３０…他側下部横フレーム、３２…補強フレーム、３３…前後側直線部、３４…張出部、３５…左右中間フレーム、３６…エアコン取付用空間、３７…エアコンユニット、３８…天井内装材、３９…オフセット部、４０…アンダーカバー、４１…固定具、４２…エアコン取付用ステー、４５…エアコン本体、４６…空気吸入口、４７…空気送風口、５０…ユニットケース、５１…後側ダクト、５２…後側エア吹き出し口、５３…風量風向き調節用フィン、５４…側部エア吹き出し口、５５…側部操作パネル、５６…前側ダクト、５７…左前エア吹き出し口、５８…右前エア吹き出し口、６０…ファン、６１…吸引口、６２…エアコンフィルタ、６３…カバー、６４…作業灯。
【図１】
0003797232.tif 000002
【図２】
0003797232.tif 000003
【図３】
0003797232.tif 000004
【図４】
0003797232.tif 000005
【図５】
0003797232.tif 000006
【図６】
0003797232.tif 000007
【図７】
0003797232.tif 000008
【図８】
0003797232.tif 000009
【図９】
0003797232.tif 000010
【図１０】
0003797232.tif 000011
【図１１】
0003797232.tif 000012
【図１２】
0003797232.tif 000013
【図１３】
0003797232.tif 000014
【図１４】
0003797232.tif 000015
【図１５】
0003797232.tif 000016
【図１６】
0003797232.tif 000017
【図１７】
0003797232.tif 000018